(57)【要約】      （修正有）【課題】１種類の素材をうまく工夫して、ヒップアップおよび腹部、大腿部の体型補整が可能なガードル付きパンツを提供する。【解決手段】伸縮性のあるパンツ本体３と、その内側に装着されたガードル４とを有し、ガードルは、パンツ本体のウエスト部５から少なくとも股下１５ｃｍまでの丈を有する前身頃および後身頃を備え、前身頃に腹部クロッチ１０を、後身頃に大腿部クロッチ１６を設け、大腿部クロッチの上縁を臀部のヒップラインに沿って大殿筋を押し上げるように後身頃に縫合し、大腿部クロッチの下端縁を後身頃の股下の半分程度の大腿部を締め付けるように縫合し、さらに、前身頃６、後身頃７、腹部クロッチ、及び大腿部クロッチを伸縮性のある同一素材のストレッチトリコットから構成することで、ガードルを構成する素材として単一の素材を使用して、二重にするクロッチ部分で腹部や大腿部を締め付ける。【選択図】図２
0003222220.tif 000002
【実用新案登録請求の範囲】
【請求項１】
股上部に前開き部を有する伸縮性のあるパンツ本体と、その内側に装着されたガードルと備えたガードル付きパンツにおいて、
前記ガードルは、パンツ本体のウエスト部から少なくとも股下１５ｃｍまでの丈を有する前身頃と、パンツ本体のウエスト部から少なくとも股下１５ｃｍまでの丈を有する後身頃とを備え、前身頃及び後身頃は、夫々上端縁がパンツ本体のウエスト部に縫合され、外側縁がパンツ本体の外脇線に沿って縫合され、さらに股下内側縁がパンツ本体の内脇線に沿って縫合され、また、前身頃は、前開き部で２分割されて、夫々の内側縁が前開き部に縫合され、
前身頃の腹部を引き締める腹部クロッチが設けられ、該腹部クロッチは、その下縁がほぼ鼠径部に沿って前身頃に縫合され、上端縁がパンツ本体のウエスト部に縫合され、外側縁がパンツ本体の外脇線に縫合され、さらに、股下内側縁がパンツ本体の内脇線に沿って縫合され、さらに、パンツ本体の前開き部で２分割されて、夫々の内側縁が前開き部に縫合されており、
後身頃の臀部から大腿部にかけて、主に大腿部を引き締める大腿部クロッチが設けられ、該大腿部クロッチは、その上縁が臀部のヒップラインに沿って大殿筋を押し上げるように後身頃に縫合され、下端縁が後身頃の股下の半分程度の大腿部を締め付けるように縫合され、外側縁がパンツ本体の外脇線に縫合され、股下内側縁がパンツ本体の内脇線に沿って縫合されており、
前記前身頃及び腹部クロッチ、並びに後身頃及び大腿部クロッチが、伸縮性のある同一素材のストレッチトリコットから構成されたことを特徴とするガードル付きパンツ。
【請求項２】
伸縮性のあるパンツ本体と、その内側に装着されたガードルと備えたガードル付きパンツにおいて、
前記ガードルは、パンツ本体のウエスト部から少なくとも股下１５ｃｍまでの丈を有する前身頃と、パンツ本体のウエスト部から少なくとも股下１５ｃｍまでの丈を有する後身頃とを備え、前身頃及び後身頃は、夫々上端縁がパンツ本体のウエスト部に縫合され、外側縁がパンツ本体の外脇線に沿って縫合され、さらに股下内側縁がパンツ本体の内脇線に沿って縫合され、
前身頃の腹部を引き締める腹部クロッチが設けられ、該腹部クロッチは、その下縁がほぼ鼠径部に沿って前身頃に縫合され、上端縁がパンツ本体のウエスト部に縫合され、外側縁がパンツ本体の外脇線に縫合され、さらに、股下内側縁がパンツ本体の内脇線に沿って縫合され、
後身頃の臀部から大腿部にかけて、主に大腿部を引き締める大腿部クロッチが設けられ、該大腿部クロッチは、その上縁が臀部のヒップラインに沿って大殿筋を押し上げるように後身頃に縫合され、下端縁が後身頃の股下の半分程度の大腿部を締め付けるように縫合され、外側縁がパンツ本体の外脇線に縫合され、股下内側縁がパンツ本体の内脇線に沿って縫合されており、
前記前身頃及び腹部クロッチ、並びに後身頃及び大腿部クロッチが、伸縮性のある同一素材のストレッチトリコットから構成されたことを特徴とするガードル付きパンツ。
【請求項３】
後身頃は、左右の後ベース片がパンツ本体の後ろ中心に対応する位置でコールゴムを伴って一緒に縫合され、さらに、左右の各後ベース片が、複数枚のベース片を縫合してなる請求項１又は２に記載のガードル付きパンツ。
【考案の詳細な説明】
【技術分野】
【０００１】
本考案は、細見のパンツである伸縮性のパンツにおいて、ガードルを付けたガードル付きパンツに関するものである。
【背景技術】
【０００２】
この種のガードル機能を備えたガードル付きパンツとして、特許文献１には、ヒップアップおよび腹部、太もも、腰まわりの体型補整ができ、身体の動きを容易にし、足を長く見せるカルソンパンツが開示されている。
【０００３】
具体的には、スラックスの内側の前身頃の大腿部より上部位置に腹部矯正用の伸縮性の少ない弾力性の強い経編地のパワーネットを張設し、ウエスト周辺部と外脇縫目と内脇縫目で止着し、後身頃のウエスト周辺部とヒップラインとの間に伸縮性の大きい弾力性の弱い経編地の予め形状成形したストレッチネットを張設し、ウエスト周辺部と外脇縫目で止着し、かつストレッチネットに上部を重ねヒップラインより上方のヒップ形状補整ラインから股下１５cmの大腿部の間に腹部矯正用の生地と同生地の伸縮性の少ない弾力性の強い経編地のパワーネットパネルを張設し、ストレッチネットの下端と外脇縫目と内脇縫目で止着し、ヒップラインとヒップ形状補整ラインの間を帯状の二重矯正部としている。
【０００４】
これにより、ストレッチネットの伸縮性を利用してヒップの形状を出し、有効に保持する。また、パワーネットの優れた弾力性を活かして大腿部よりヒップの付け根のぜい肉を押し上げる作用をすることで、ヒップアップおよび腹部、太もも、腰まわりの体型補整を行おうとするものである。
【０００５】
特許文献２には、腹部側と腰部側の複数枚のパワーネットを接いで形成した左右の布片を、スラックス本体の外脇線に縫製することなく、各股上側端縁部を後中心接ぎ部で接ぎ合わせ、左右の布片のうち股下側の側縁はスラックス本体の内股線に縫合し、腹部開放側の端縁はスラックス本体の前開き部に縫合し、各布片の上縁部をスラックス本体のウエスト部に縫合し、さらに、各布片の臀部箇所における下方側曲線に沿って鎌形帯状の非伸縮性生地からなる臀部当て布を設けることで、スラックス本体の外脇線における不自然な引きつりしわを可及的に回避し、ヒップアップ効果を発揮するようにしている。
【先行技術文献】
【特許文献】
【０００６】
【特許文献１】実用新案登録第3008616号公報
【特許文献２】特許第3605808号公報
【考案の概要】
【考案が解決しようとする課題】
【０００７】
ところで、特許文献１では、伸縮性の少ない弾力性の強い経編地のパワーネットと、伸縮性の大きい弾力性の弱い経編地の予め形状成形したストレッチネットとを用いているので、少なくとも２種類の素材を用いて体型補整を行うため、素材の裁断や縫製に手間がかかる難点がある。
【０００８】
また、特許文献２においても、伸縮性のあるパワーネット片と非伸縮性の臀部当て布とを用い、かつ腹部側のパワーネット片を、腰部側のパワーネット片よりも伸縮性の大きいものを採用していることから、少なくとも３種類の素材を用いたヒップアップ用スラックスを採用しており、コスト高となっている。
【０００９】
本考案は、上記に鑑み、１種類の素材をうまく工夫して、ヒップアップおよび腹部、太もも、腰まわりの体型補整ができるガードル付きパンツの提供を目的としている。
【課題を解決するための手段】
【００１０】
上記目的を達成するため、本考案に係るガードル付きパンツは、股上部に前開き部を有する伸縮性のあるパンツ本体と、その内側に装着されたガードルとを有している。
【００１１】
ガードルは、パンツ本体のウエスト部から少なくとも股下１５ｃｍまでの丈を有する前身頃と、パンツ本体のウエスト部から少なくとも股下１５ｃｍまでの丈を有する後身頃とを備えている。
【００１２】
これら前身頃及び後身頃は、夫々上端縁がパンツ本体のウエスト部に縫合され、外側縁がパンツ本体の外脇線に沿って縫合され、さらに股下内側縁がパンツ本体の内脇線に沿って縫合されている。また、前身頃は、前開き部で２分割されて、夫々の内側縁が前開き部に縫合されている。
【００１３】
また、前身頃の腹部を引き締める腹部クロッチが設けられる。この腹部クロッチは、その下縁がほぼ鼠径部に沿って前身頃に縫合されており、上端縁がパンツ本体のウエスト部に縫合され、外側縁がパンツ本体の外脇線に縫合される。さらに、腹部クロッチは、股下内側縁がパンツ本体の内脇線に沿って縫合される。さらにまた、パンツ本体の前開き部で２分割されて、夫々の内側縁が前開き部に縫合されている。
【００１４】
一方、後身頃の臀部から大腿部にかけて、主に大腿部を引き締める大腿部クロッチが設けられる。この大腿部クロッチは、その上縁が臀部のヒップラインに沿って大殿筋を押し上げるように後身頃に縫合され、下端縁が後身頃の股下の半分程度の大腿部を締め付けるように縫合される。そして、大腿部クロッチの外側縁がパンツ本体の外脇線に縫合され、股下内側縁がパンツ本体の内脇線に沿って縫合されている。
【００１５】
これらの前身頃及び腹部クロッチ、並びに後身頃及び大腿部クロッチは、伸縮性のある同一素材のストレッチトリコットから構成されている。
【考案の効果】
【００１６】
したがって、本考案によると、前身頃及び腹部クロッチ、並びに後身頃及び大腿部クロッチは、伸縮性のある同一素材のストレッチトリコットから構成されるので、ガードルを構成する素材として単一の素材を用意すればよく、伸縮性を有するストレッチトリコットも二重にするクロッチ部分で腹部や大腿部の締め付け効果を発揮することができる素材を選択すればよく、作業性やコストの点でも有利である。
【図面の簡単な説明】
【００１７】
【図１】本考案の一実施形態であるガードル付きパンツの外観を示す斜視図である。
【図２】パンツを裏返しにして視た図で、（ａ）は後身頃を、（ｂ）は側部、（ｃ）は前身頃の説明図である。
【図３】ガードル部分のみを示す図で、（ａ）は前身頃を、（ｂ）は後身頃の説明図である。
【図４】ガードル付きパンツの装着状態をヒップ側から視た斜視図である。
【図５】ガードル付きパンツの装着状態をヒップ側から視た背面図である。
【考案を実施するための形態】
【００１８】
以下に本考案の実施形態を図面に基づいて説明する。本実施形態のガードル付きパンツ１は、股上部に前開き部２を有する伸縮性のあるパンツ本体３と、その内側に装着されたガードル４とを有している。
【００１９】
パンツ本体３は、脚にぴったりフィットする伸縮性のある、いわゆるスキニーパンツであって、左右方向の伸縮度が特に大きい。このようなスキニーパンツは、着用者の体型がそのまま現れるので、内部のガードルによって、体型補整を行うと美しいシルエットを実現することができる。パンツ本体３は、図２に示すように、前身頃と後身頃とが外脇線８および内脇線９で縫合され、上縁部にウエスト部５を備えている。
【００２０】
ガードル４は、パンツ本体３のウエスト部５から少なくとも股下１５ｃｍまでの丈を有する前身頃６と、パンツ本体３のウエスト部５から少なくとも股下１５ｃｍまでの丈を有する後身頃７とを備えている。前身頃６および後身頃７は、後述の腹部クロッチ、大腿部クロッチと同一の素材で構成される。
【００２１】
なお、図２において、斜線ハッチングはガードルの前身頃６および後身頃７を示している。この前身頃６の下端６ａおよび後身頃７の下端７ｅは、パンツ本体３に縫合されていない。また、図２において、クロスハッチングは腹部クロッチ１０と大腿部クロッチ１６を示す。また、Ｓ１〜Ｓ８は縫合ラインを夫々示す。また、図３はガードル４を示し、斜線ハッチングはそれぞれ腹部クロッチ１０および大腿部クロッチ１６を示す。
【００２２】
前身頃６及び後身頃７は、夫々上端縁がパンツ本体のウエスト部５に縫合され、外側縁がパンツ本体３の外脇線８に沿って縫合されている。また、前身頃６及び後身頃７は、その股下内側縁がパンツ本体の内脇線９に沿って縫合されている。さらに、前身頃６においては、前開き部２で２分割されて、夫々の内側縁が前開き部２に縫合されている。
【００２３】
また、前身頃６の腹部を引き締める腹部クロッチ１０が設けられる。この腹部クロッチ１０は、前身頃６とパンツ本体３との間に配置されている。腹部クロッチ１０の下縁１１は、ほぼ鼠径部に沿って前身頃６に縫合されている。腹部クロッチ１０の上端縁はパンツ本体３のウエスト部５に縫合されている。腹部クロッチ１０の外側縁はウエスト部５の上端から１０ｃｍほどまで設けられ、ほぼ腰骨当たりから上側でパンツ本体３の外脇線８に縫合されている。さらに、腹部クロッチ１０は、左右両側の股下内側縁がそれぞれ股下３ｃｍ〜５ｃｍの範囲でパンツ本体３の内脇線９に沿って縫合されている。さらにまた、腹部クロッチ１０は、パンツ本体３の前開き部２で２分割されており、夫々の内側縁が前開き部２に前身頃６と共に縫合されている。前開き部２から股下までの左右の前身頃６及び腹部クロッチ１０は、互いに縫合されている。
【００２４】
一方、後身頃７の臀部１３から大腿部１４にかけて、主に大腿部１４を引き締める大腿部クロッチ１６が設けられる。この大腿部クロッチ１６は、後身頃１６とパンツ本体３との間に配置されている。大腿部クロッチ１６は、パンツ本体３の後中心位置で２分割されており、その内側端縁がコールゴム１８と共に互いに縫合されている。
【００２５】
大腿部クロッチ１６の上縁１６ａは、後ろ中心のワタリ部分から７ｃｍ〜１０ｃｍ程度上側の位置から左右両側の腰骨部分（ウエスト部５から下側１０ｃｍ程度）まで、臀部１３のヒップラインに沿って大殿筋を押し上げるように後身頃７に縫合されている。大腿部クロッチ１６の上縁１６ａは、直線的あるいは少し膨らみを持たせて凹状の曲線を描くように形成されてもよい。
【００２６】
また、大腿部クロッチ１６の下端縁１６ｂは後身頃７の股下の半分程度、すなわち内股縫合位置の水平線であるワタリ線１７から５ｃｍ〜１０ｃｍ程度の大腿部を締め付けるように縫合される。そして、大腿部クロッチ１６の外側縁がパンツ本体３の外脇線８に縫合され、大腿部クロッチ１６の股下内側縁がパンツ本体３の内脇線９に沿って縫合されている。大腿部クロッチ１６の下端縁１６ｂの外側端はほぼ水平に後身頃７に縫合されている。したがって、大腿部クロッチ１６の外側縁の長さは、腰骨当たりから大腿部までのほぼ２０ｃｍ〜２３ｃｍの寸法となっている。
【００２７】
これらの前身頃６及び腹部クロッチ１０、並びに後身頃７及び大腿部クロッチ１６は、伸縮性のある同一素材のストレッチトリコットから構成されている。ストレッチトリコットは、高収縮性のトリコット（経編地）から構成される。腹部クロッチ１０および大腿部クロッチ１６部分では、二重のストレッチトリコットから構成されるので、その収縮度合により、締め付け効果を発揮することができる。
【００２８】
なお、後身頃７は、左右の後ベース片７ａ，７ｂ，７ｃ，７ｄがパンツ本体３の後ろ中心に対応する位置で細幅テープ状のコールゴム１８を伴って一緒に縫合される。このコールゴム１８により後身頃の中心に生地を摘まんだダーツが形成されて臀裂部が持ち上げられ、左右のヒップを美しく見せることができる。
【００２９】
さらに、左右の各後ベース片７ａ〜７ｄは、複数枚（本例では左右各２枚）のベース片７ａ〜７ｄが縫合され、後身頃７を立体裁断した態様とすることができる。
【００３０】
上記構成において、前身頃６及び腹部クロッチ１０、並びに後身頃７及び大腿部クロッチ１６は、伸縮性のある同一素材のストレッチトリコットから構成されているので、ガードル４を構成する素材として単一の素材を用意すればよく、伸縮性を有するストレッチトリコットも二重にするクロッチ部分１０，１６で腹部や大腿部の締め付け効果を発揮することができる素材を選択すればよく、作業性やコストの点でも有利である。
【００３１】
前身頃６の腹部は腹部クロッチ１０により締め付けられ、腹部のせり出しを防止することができる。一方、パンツ本体３の大腿部においては、ストレッチトリコット素材の前身頃６及び後身頃７が大腿部まで覆っているので、ストレッチトリコットの収縮力により着用者の大腿部が適度に締め付けられる。しかも、大腿部クロッチ１６の下端縁１６ｂは、ワタリ線１７から５ｃｍ〜１０ｃｍに位置しているので、着用者の大腿部を十分に締め付け、大腿部を細く見せることができる。そのため、股ずれ等を防止することができる。
【００３２】
さらに、大腿部クロッチ１６は、その上縁１６ａが臀部１３のヒップラインに沿って着用者の大殿筋を押し上げるように後身頃７に縫合されているので、着用者の大殿筋を押し上げ、丸みのあるヒップを形成することができ、ヒップアップ効果も期待できる。
【００３３】
本実施形態のガードル付きパンツの着圧試験を以下のとおり行った。着圧試験は七彩製下半身脚型ダミー（マネキン）を用い、株式会社エイエムアイ製の衣服圧評価装置（ＡＭＩ３０３７−２）により計測した。下半身脚型ダミーの計測部には人工皮膚を埋め込み、その上に衣服圧センサを取り付けて計測した。下半身脚型ダミーの各部の寸法として２０代女性の平均値を用いた下半身脚型ダミー（ＭＰＳ３−２０）を用いた。
【００３４】
上記計測の結果、大腿部クロッチ１６の臀部（本実施形態のガードル付きパンツの着圧試験を実施した。マネキンの測定箇所Ｂ（周囲長90.0cm、パンツウエスト部上端からの距離32.0ｃｍ）、測定箇所Ｃ（周囲長46.0cm、パンツウエスト部上端からの距離44.0cm）、測定箇所Ｄ（周囲長39.0cm、パンツウエスト部上端からの距離52.0cm）の３箇所について計測した。その結果、測定箇所B（二重のストレッチトリコットからなる大腿部クロッチ１６部分）では１３．５ｈＰａ、測定箇所Ｃ（前身頃１０および後身頃１６の大腿部であって、大腿部クロッチ１６の下側一重部分）では１１．３ｈＰａ、測定箇所Ｄ（ガードル３下方の大腿部部分）では１．２ｈＰａであった。したがって、大腿部クロッチ１６部分での締め付け効果により大腿部を細く見せることができ、股ずれ等を防止することができることが明らかである。
【００３５】
なお、本考案は上記実施形態に限定されるものではなく、本考案の範囲内で多くの修正・変更を加えることができるのは勿論である。例えば、上記実施形態では、前開き部を有するスキニーパンツについて説明したが、前開き部のないスキニーパンツであっても本考案を適用することができる。
【００３６】
すなわち、本考案に係る他の実施形態として、伸縮性のあるパンツ本体と、その内側に装着されたガードルと備えたガードル付きパンツにおいて、前記ガードルは、パンツ本体のウエスト部から少なくとも股下１５ｃｍまでの丈を有する前身頃と、パンツ本体のウエスト部から少なくとも股下１５ｃｍまでの丈を有する後身頃とを備え、前身頃及び後身頃は、夫々上端縁がパンツ本体のウエスト部に縫合され、外側縁がパンツ本体の外脇線に沿って縫合され、さらに股下内側縁がパンツ本体の内脇線に沿って縫合され、前身頃の腹部を引き締める腹部クロッチが設けられ、該腹部クロッチは、その下縁がほぼ鼠径部に沿って前身頃に縫合され、上端縁がパンツ本体のウエスト部に縫合され、外側縁がパンツ本体の外脇線に縫合され、さらに、股下内側縁がパンツ本体の内脇線に沿って縫合され、後身頃の臀部から大腿部にかけて、主に大腿部を引き締める大腿部クロッチが設けられ、該大腿部クロッチは、その上縁が臀部のヒップラインに沿って大殿筋を押し上げるように後身頃に縫合され、下端縁が後身頃の股下の半分程度の大腿部を締め付けるように縫合され、外側縁がパンツ本体の外脇線に縫合され、股下内側縁がパンツ本体の内脇線に沿って縫合されており、前記前身頃及び腹部クロッチ、並びに後身頃及び大腿部クロッチが、伸縮性のある同一素材のストレッチトリコットから構成されたことを特徴とするガードル付きパンツを提供することができる。この他の実施形態においても、上記実施形態と同様な作用効果を奏することができる。
【符号の説明】
【００３７】
Ｓ１〜Ｓ８  縫合ライン
１    ガードル付きパンツ
２    前開き部
３    パンツ本体
４    ガードル
５    ウエスト部
６    前身頃
７    後身頃
７ａ〜７ｄ    後ベース片
８    外脇線
９    内脇線
１０    腹部クロッチ
１１    下縁
１３    臀部
１４    大腿部
１６    大腿部クロッチ
１６ａ    上縁
１６ｂ    下端縁
１７    ワタリ線
１８    コールゴム
【図１】
0003222220.tif 000003
【図２】
0003222220.tif 000004
【図３】
0003222220.tif 000005
【図４】
0003222220.tif 000006
【図５】
0003222220.tif 000007
【手続補正書】
【提出日】令和1年5月10日(2019.5.10)
【手続補正１】
【補正対象書類名】図面
【補正対象項目名】全図
【補正方法】変更
【補正の内容】
【図１】
0003222220.tif 000008
【図２】
0003222220.tif 000009
【図３】
0003222220.tif 000010
【図４】
0003222220.tif 000011
【図５】
0003222220.tif 000012